(57)【要約】【課題】特に飼養羽数の多い鶏に対して個体識別のため、鶏の頚部への装着が容易で、簡単に取付けることができ、また、装着後は、羽に引っ掛って抜けや、回転、下がりを確実に防止できる。帯状の取付け片に設けた記録部から個体情報を簡単に読取ることができ、読取り作業が容易に行える。【解決手段】頚部に引っ掛る帯状リング３と、この帯状リング３の上内方に向かって斜めに突出して羽に引っ掛る線状部材５と、前記帯状リング３から吊下げた帯状の取付け片６に取付けた個体情報の記録部７とで構成する。【選択図】        図１
2007289100.tif 000002
【特許請求の範囲】
【請求項１】
頚部に引っ掛る帯状リングと、この帯状リングの上内方に向かって斜めに突出して羽に引っ掛る線状部材と、前記帯状リングから吊下げた帯状の取付け片に取付けた個体情報の記録部とで構成することを特徴とする家禽用個体識別タグ。
【請求項２】
前記線状部材は、２本がＶ字状に一対となって少なくとも２ヶ所から突出する請求項１記載の家禽用個体識別タグ。
【請求項３】
前記帯状リングには大きな引張り力により破断する切込みを設けた請求項１または請求項２に記載の家禽用個体識別タグ。
【発明の詳細な説明】
【技術分野】
【０００１】
本発明は、鶏などの家禽の個体識別用のタグに関するものである。
【背景技術】
【０００２】
近年、食のトレーサビリティシステムが騒がれる中で、家禽、例えば鶏の鳥インフルエンザの人体への感染も確認されており、かかる事情のなかで、感染を防いで病気への抗体を産生するために鶏へのワクチン投与が実施されている。
【０００３】
ところが、安全確保のために鶏に抗体検査を施すと、投与されたワクチンによって陽性反応が出てしまうことがあるが、この場合、陽性反応が実際にはワクチン投与が原因であるのか、感染が原因であるのか、判別がつかない。
【０００４】
そこで、ワクチン投与の有無などの経歴を個体情報として各鶏ごとに残す必要があるが、従来、例えば家禽の個体管理システムとして、ＩＣタグを用いるものがある（例えば特許文献１参照）。
【０００５】
これは、家禽、例えば鶏ごとの識別コードを記憶したＩＣタグを鶏の脚部の外周に巻着するもので、識別コードに対応する家禽管理情報を家禽管理データベースに記憶しておく。
【特許文献１】特開２００６−８１４９５
【発明の開示】
【発明が解決しようとする課題】
【０００６】
前記従来例のタグは、鶏の脚に装着するものであるため、タグに記憶されている情報を読取るには、鶏を捕獲して押えた状態で作業しなければならず、読取り作業が行いにくい。また、タグを鶏に装着する場合も、装着箇所が脚であるため、その作業には手間と時間を要する。
【０００７】
特に、全国飼養羽数が多く、飼養農家一軒当りの飼養羽数も他の家禽と比較して多い鶏については、個体管理にはタグの取付けや読取りが容易に行えることが要求される。
【０００８】
本発明の目的は前記従来例の不都合を解消し、特に飼養羽数の多い鶏に対して個体識別のためのタグを簡単に取付けることができ、また、タグに記憶された情報の読取りも容易に行える家禽用個体識別タグを提供することにある。
【課題を解決するための手段】
【０００９】
本発明は前記目的を達成するため、請求項１記載の発明は、頚部に引っ掛る帯状リングと、この帯状リングの上内方に向かって斜めに突出して羽に引っ掛る線状部材と、前記帯状リングから吊下げた帯状の取付け片に取付けた個体情報の記録部とで構成することを要旨とするものである。
【００１０】
請求項１記載の本発明によれば、帯状リングを鶏の頚部にかぶせるようにして引掛けるだけで、個体情報が記憶された記録チップが鶏ごとに取付けられるから、簡単に装着でき、装着後は、リングが一定の方向に生えている頚部の羽に引っ掛ると同時に、さらに線状部材が羽の間に下から上方へと入り込んで羽の根元に引っ掛るから、リングが抜けたり、回転したり、下がったりすることがない。
【００１１】
また、この線状部材は内方に向かって突出しているから、鶏の成長を見越して頚部に対してリングの径を大きめにしておいても、線状部材は羽の間に入り込み、リングが頚部から抜け出ることを防止できる。そして、サイズにゆとりのある径のリングを装着できるから、鶏の成長に伴う頚部圧迫を防止できる。
【００１２】
さらに、個体情報の読取りは、リングから吊下げた取付け片に取付けた記録部から行えばよく、この場合、取付け片は帯状に形成してあるから、これを簡単に掴むことができ、読取り作業が簡単に行えるだけでなく、読取り可能な距離も拡大する。
【００１３】
請求項２記載の発明は、前記線状部材は、２本がＶ字状に一対となって少なくとも２ヶ所から突出することを要旨とするものである。
【００１４】
請求項２記載の本発明によれば、線状部材は２本がＶ字状に一対となって少なくとも２ヶ所から突出するから、羽の間に確実に入り込み、抜け防止が図れる。
【００１５】
請求項３記載の発明は、前記帯状リングには大きな引張り力により破断する切込みを設けたことを要旨とするものである。
【００１６】
請求項３記載の本発明によれば、リングや取付け片、線状部材を強く引っ張った時は、切込みの箇所からリングが破断するから、引張力が鶏の頚部に加わって鶏が傷つくことを防止できる。
【発明の効果】
【００１７】
以上述べたように本発明の家禽用個体識別タグは、リング状にし、さらにこれに線状部材を取付けたから鶏の頚部への装着が容易で、装着後は、羽に引っ掛って抜けや、回転、下がりを確実に防止できる。また、帯状の取付け片に設けた記録部から個体情報を読取ることができるから、読取り作業が容易に行えるものである。
【発明を実施するための最良の形態】
【００１８】
以下、図面について本発明の実施形態を詳細に説明する。図１は本発明の家禽用個体識別タグの実施形態を示す斜視図、図２は鶏に装着した状態の斜視図で、本発明の家禽用個体識別タグは、例えば鶏に使用するものであり、鶏１の頚部２に引っ掛る帯状リング３と、この帯状リング３の上内方に向かって斜めに突出して羽４に引っ掛る線状部材５と、前記帯状リング３から吊下げた帯状の取付け片６に取付けた個体情報の記録部７とで構成する。
【００１９】
前記帯状リング３は、材質としてプラスチックなどの軟質合成樹脂を使用し、この帯状リング３の外周から帯状リング３上内方に向けて斜めに突出する線状部材５を設けるとともに、帯状リング３の適宜位置で例えば線状部材５の取付部位で１〜２箇所、外力として引張力が加わったときに破断するような切込み８を形成した。
【００２０】
この線状部材５は、２本がＶ字状に一対となって少なくとも２ヶ所から先端が開いた状態で突出する。
【００２１】
前記帯状の取付け片６は、羽４を損傷しないよう可撓性部材で形成し、これに記録部７として、ＩＣチップ、バーコード、ＱＲコードなどを取付けた。記録内容は、ワクチン投与の有無などの経歴をはじめとする個体情報である。
【００２２】
次に使用法を説明する。鶏ごとの個体情報を管理するには、図２に示すように前記帯状リング３を鶏１の頚部２に上から被せるにして引掛ける。この場合、頚部に対して、これよりも大きめの径の帯状リング３を使用する。
【００２３】
頚部２に装着した状態では、帯状リング３が頚部２において下方に向かって一定の方向に生えている羽４に引っ掛るから、上方に抜け出ることが阻止される。
【００２４】
同時に、線状部材５が羽４の間にささるようにして羽４の根元に下から上方に向かって引っ掛り、帯状リング３の回転や抜けが阻止される。これにより、帯状リング３は鶏１の頚部２に引っ掛って取付けられる。
【００２５】
帯状リング３は鶏１の頚部２に対してこれよりも大きめのものを装着することで、頚廻りにゆとりが生じ、鶏１の成長に伴う頚部圧迫に対応でき、首締め防止となる。
【００２６】
この帯状リング３を装着した鶏１の個体情報を知るには、取付け片６の記録部７に記録されている情報を詠み取る。この場合、取付け片６は帯状に形成してあるから、動きまわる鶏１に対して取付け片６を掴み易く、記録部７からの情報を容易に得ることができる。
【００２７】
また、取付け片６が帯状で長いものであっても、可撓性部材で形成してあるから、羽４を傷めることはない。
【００２８】
取付け片６を掴む際等に、帯状リング３に大きな引張力が加わったときは、切込み８を介して帯状リング３が破断するから、引張力によって鶏１の頚部２が傷つくおそれもない。
【図面の簡単な説明】
【００２９】
【図１】本発明の家禽用個体識別タグの実施形態を示す斜視図である。
【図２】本発明の家禽用個体識別タグの実施形態を示す鶏の頚部に取付けた状態の斜視図である。
【図３】本発明の家禽用固定識別タグの実施形態を示す線状部材が羽の根元に引っ掛っている状態の斜視図である。
【符号の説明】
【００３０】
１  鶏                          ２  頚部
３  帯状リング                  ４  羽
５  線状部材                    ６  取付け片
７  記録部                      ８  切込み
【図１】
2007289100.tif 000003
【図２】
2007289100.tif 000004
【図３】
2007289100.tif 000005